(57)【要約】【課題】従来のディスクドライブ装置では、２本のガイド軸を互いに平行をなして配置していたため、軸受部がガイド軸と常に同じ部分で線接触して摺動を繰り返し、軸受部に局部的な磨耗が生じてしまい、この磨耗によりスライド部材にガタが発生していた。【解決手段】ディスク状記録媒体１０を回転駆動するディスク回転駆動部４８と、ディスク状記録媒体１０に対して情報信号の記録及び／又は再生を行う光ピックアップ５０と、光ピックアップ５０をディスク状記録媒体１０の半径方向へ移動させるピックアップ移動部６１と、を備えている。ピックアップ移動部６１は、第１のガイド軸６５と第２のガイド軸６６を有し、第１のガイド軸６５は、第１の軸受部５６ａ，５６ｂを摺動可能に支持して光ピックアップ５０を所定方向に直線的に案内し、第２のガイド軸６６は、第２の軸受部５７を摺動可能に支持し、第１のガイド軸６５に対して第２のガイド軸６６を平面内において傾斜させて設けた。【選択図】図１
2008269722.tif 000002
【特許請求の範囲】
【請求項１】
ディスク状記録媒体が着脱可能に装着されるターンテーブルを回転駆動するディスク回転駆動部と、
前記ディスク回転駆動部により回転駆動される前記ディスク状記録媒体に対して情報信号の記録及び／又は再生を行う光ピックアップと、
前記光ピックアップを前記ディスク状記録媒体の情報記録面に沿って当該ディスク状記録媒体の半径方向へ移動させるピックアップ移動部と、を備え、
前記ピックアップ移動部は、前記光ピックアップのスライド部材をガイドする第１のガイド軸と第２のガイド軸を有し、
前記第１のガイド軸は、前記スライド部材に設けた第１の軸受部を摺動可能に支持して前記光ピックアップを所定方向に直線的に案内し、
前記第２のガイド軸は、前記スライド部材に設けた第２の軸受部を摺動可能に支持し、
前記第１のガイド軸と前記第２のガイド軸を通る平面を前記ターンテーブルに装着される前記ディスク状記録媒体の主面に対して略平行に配置すると共に、前記第１のガイド軸に対して前記第２のガイド軸を平面内において傾斜させて設けた
ことを特徴とするディスクドライブ装置。
【請求項２】
前記第２のガイド軸は、前記ターンテーブルの回転中心から光ピックアップが移動する方向に対して、前記第１のガイド軸との間隔が狭まる方向に傾斜するように設けられた
ことを特徴とする請求項１に記載のディスクドライブ装置。
【請求項３】
前記スライド部材は、アルミニウム合金、マグネシウム合金又は亜鉛合金から形成されており、前記第１の軸受部は、含油焼結材料から形成されている
ことを特徴とする請求項１に記載のディスクドライブ装置。
【請求項４】
前記第１の軸受部と前記第２の軸受部は、それぞれ断面形状が円形を有する丸棒からなる
ことを特徴とする請求項１に記載のディスクドライブ装置。
【請求項５】
ディスク状記録媒体を回転駆動すると共に当該ディスク状記録媒体に対して情報信号の記録及び／又は再生を行うディスクドライブ装置を備えた電子機器において、
前記ディスクドライブ装置は、
前記ディスク状記録媒体が着脱可能に装着されるターンテーブルを回転駆動するディスク回転駆動部と、
前記ディスク回転駆動部により回転駆動される前記ディスク状記録媒体に対して情報信号の記録及び／又は再生を行う光ピックアップと、
前記光ピックアップを前記ディスク状記録媒体の情報記録面に沿って当該ディスク状記録媒体の半径方向へ移動させるピックアップ移動部と、を具え、
前記ピックアップ移動部は、前記光ピックアップのスライド部材をガイドする第１のガイド軸と第２のガイド軸を有し、
前記第１のガイド軸は、前記スライド部材に設けた第１の軸受部に摺動可能に挿通されて前記光ピックアップを所定方向に直線的に案内し、
前記第２のガイド軸は、前記スライド部材に設けた第２の軸受部を摺動可能に支持し、
前記第１のガイド軸と前記第２のガイド軸を通る平面を前記ターンテーブルに装着される前記ディスク状記録媒体の主面に対して略平行に配置すると共に、前記第１のガイド軸に対して前記第２のガイド軸を平面内において傾斜させて設けた
ことを特徴とする電子機器。
【発明の詳細な説明】
【技術分野】
【０００１】
本発明は、回転駆動されるディスク状記録媒体の半径方向に光ピックアップを移動させて、光ピックアップによりディスク状記録媒体に対して情報信号の記録及び／又は再生を行うようにしたディスクドライブ装置及び、そのディスクドライブ装置を備えた電子機器に関するものである。
【背景技術】
【０００２】
従来のこの種のディスクドライブ装置としては、例えば、特許文献１に記載されているようなものがある。特許文献１には、ディスク状記録媒体を回転駆動すると共に、情報信号の記録（書込み）及び／又は再生（読取り）を行うディスクドライブ装置に関するものが記載されている。この特許文献１に記載されたディスクドライブ装置は、「ディスク状記録媒体が着脱可能に装着されるターンテーブルが回転軸に固定されたスピンドルモータと、上記スピンドルモータが載置されるモータベース板と、上記モータベース板をネジ止めすることにより上記スピンドルモータが支持されるベースユニットシャーシと、を備えたディスクドライブ装置において、上記モータベース板の１箇所を上記ベースユニットシャーシに固定する固定部と、当該モータベース板の他の１箇所以上に高さ調整が可能な高さ調整部とを設けた」ことを特徴としている。
【０００３】
このような構成を有するディスクドライブ装置によれば、「スピンドルモータの姿勢を変化させ、ターンテーブルの傾斜角度を簡単且つ精度良く調整することができる」等の効果が期待される。
【特許文献１】特開２００２−１０９８１９号公報
【０００４】
しかしながら、特許文献１に記載されたディスクドライブ装置では、ディスク状記録媒体に対して情報信号の記録及び／又は再生を行う光ピックアップ装置を設け、この光ピックアップ装置のスライド部材に貫通し、且つ、当該光ピックアップ装置を所定方向に直進的に案内するガイド軸とサブガイド軸を備えている。このガイド軸とサブガイド軸を光ピックアップ装置の移動方向に対して互いに平行に配置している。
【０００５】
一般的に、第１のガイド軸（ガイド軸）により摺動可能に支持される第１の軸受部は、含油焼結材料軸受け（メタル軸受け）が用いられ、第１のガイド軸との摺動摩擦に対して耐久性が高くなっている。これに対し、第２のガイド軸（サブガイド軸）により摺動可能に支持される第２の軸受部は、ピックアップ装置のスライド部材と一体として鋳造により形成されている。スライド部材と第２の軸受部の材質としては、耐久性よりも軽さ、加工し易さからアルミニウム合金、亜鉛合金、マグネシウム合金等の材質が用いられている。
【０００６】
この第２の軸受部は、第２のガイド軸と常に一箇所で接触して摺動を繰り返す。そのため、第２の軸受部における第２のガイド軸との接触部分に局部的な磨耗が生じやすかった。この第２の軸受部における第２のガイド軸との接触部分での磨耗が進行すると、第１のガイド軸の軸心線を回転中心としてスライド部材にガタが発生する。その結果、ディスク状記録媒体の情報記録面に対してビーム光を正確な角度で照射できなくなり、ディスク状記録媒体の情報信号を記録及び／又は再生することができなくなるおそれがあるという、問題があった。
【０００７】
この第２の軸受部の磨耗の対策として、鋳造時の充填密度を上げたり、第２のガイド軸に潤滑油を塗布して第２の軸受部との摩擦係数を軽減する方法が挙げられる。しかしながら、鋳造時の充填密度を上げても、改質されるのは表面のみで軸受部の内部まで磨耗が進行すると対処できないという、不十分な点があった。また、第２のガイド軸に潤滑油を塗布すると、この潤滑油に第２の軸受部の磨耗粉や外からのゴミ等が付着する。その結果、この付着した磨耗粉やゴミが砥粒のような働きをして、第２の軸受部の磨耗を更に進行させてしまう、という不十分な点があった。
【０００８】
このような問題点を、図８を参照して詳しく説明する。図８は、従来のディスクドライブ装置を模式的に示す平面図である。このディスクドライブ装置１３０は、図示しないメカシャーシと、このメカシャーシに固定されるディスク回転駆動部と、光ピックアップ１００と、この光ピックアップ１００を光ディスク１０の半径方向（第１の方向Ｘ）へ移動させるピックアップ移動部等を備えて構成されている。ディスク回転駆動部は、メカシャーシに固定されたスピンドルモータ１４９と、このスピンドルモータ１４９の回転部に固定された図示しないターンテーブルとから構成されている。
【０００９】
光ピックアップ１００は、光ディスク１０の情報記録面に対向されるピックアップレンズ１０１を有する二軸アクチュエータ１０３と、この二軸アクチュエータ１０３が搭載されたスライド部材１０２等を備えて構成されている。スライド部材１０２は、その長手方向の一端部には一対の第１の軸受部１０６ａ，１０６ｂが設けられ、第１の軸受部１０６ａ，１０６ｂの反対側に位置するスライド部材１０２の他端部には第２の軸受部１０７が設けられている。第２の軸受部１０７は、スライド部材１０２と一体に形成されており、略Ｕ字状をなす溝部として構成されている。
【００１０】
ピックアップ移動部は、スライド部材１０２に取り付けられた送りナットが係合される送りネジ軸と、この送りネジ軸を回転軸とした送りモータと、第１の軸受部１０６ａ，１０６ｂに挿通される第１のガイド軸１０４と、第２の軸受部１０７に挿通される第２のガイド軸１０５等から構成されている。２本のガイド軸１０４，１０５は、スピンドルモータ１４９を挟んで光ピックアップ１００の移動方向である第１の方向Ｘに対して互いに平行をなして配置されている。２本のガイド軸１０４，１０５は、それぞれ金属性の真っ直ぐな丸棒によって形成されている。この２本のガイド軸１０４，１０５により、光ピックアップ１００は、第１の方向Ｘに摺動可能に支持されている。
【００１１】
ディスクドライブ装置３が初期状態において、第２の軸受部１０７が第２のガイド軸１０５と接触する箇所を点Ｐａとする。ここで、ピックアップ移動部を駆動すると、スライド部材１０２がスピンドルモータ１４９に近づく方向へ移動する。このとき、第２の軸受部１０７が第２のガイド軸１０５と接触する箇所は、移動する前と同じ点Ｐａである。この状態で、ピックアップ移動部を駆動させて、スライド部材１０２をスピンドルモータ１４９から離れる方向へ移動させる。このとき、第２の軸受部１０７が第２のガイド軸１０５と接触する箇所は、移動する前と同じ点Ｐａである。
【００１２】
このように、スライド部材１０２の摺動動作を繰り返すと、第２の軸受部１０７は、常に同じ点Ｐａで第２のガイド軸１０５と接触する。そのため、第２の軸受部１０７は、第２のガイド軸１０５との接触部位である点Ｐａを通る部分のみが直線的に磨耗することになる。このように、第２のガイド軸１０５の接触部位である点Ｐａの局部的な磨耗が進行すると、第１のガイド軸１０４の軸心線を回転中心として、スライド部材１０２にガタが発生する。このスライド部材１０２のガタにより、光ディスク１０の情報記録面に対して所定の角度を保持して光ビームを照射できなくなる。その結果、光ディスク１０の情報記録面に対して光ビームが傾いて、正確な記録及び／又は再生ができなくなる。
【発明の開示】
【発明が解決しようとする課題】
【００１３】
解決しようとする問題点は、従来のディスクドライブ装置では、第１のガイド軸と第２のガイド軸が光ピックアップの移動方向と互いに平行に配置されていて、第２のガイド軸とその軸受部が常に同じ部分で線接触し、線接触による摺動動作を繰り返している。そのため、軸受部には、局部的な磨耗が生じてしまい、この軸受部の磨耗が進行するとスライド部材にガタが発生する。このスライド部材のガタにより、ディスク状記録媒体の情報記録面に対して所定の角度を保持して光ビームを照射できなくなり、ディスク状記録媒体の情報信号を記録及び／又は再生することができなくなる、という点である。
【課題を解決するための手段】
【００１４】
本発明のディスクドライブ装置は、ディスク状記録媒体が着脱可能に装着されるターンテーブルを回転駆動するディスク回転駆動部と、ディスク回転駆動部により回転駆動されるディスク状記録媒体に対して情報信号の記録及び／又は再生を行う光ピックアップと、光ピックアップをディスク状記録媒体の情報記録面に沿って当該ディスク状記録媒体の半径方向へ移動させるピックアップ移動部と、を備えている。ピックアップ移動部は、光ピックアップのスライド部材をガイドする第１のガイド軸と第２のガイド軸を有している。第１のガイド軸は、スライド部材に設けた第１の軸受部に摺動可能に挿通されて光ピックアップを所定方向に直線的に案内し、第２のガイド軸は、スライド部材に設けた第２の軸受部を摺動可能に支持している。そして、第１のガイド軸と第２のガイド軸を通る平面をターンテーブルに装着されるディスク状記録媒体の主面に対して略平行に配置すると共に、第１のガイド軸に対して第２のガイド軸を平面内において傾斜させて設けたことを最も主要な特徴とする。
【００１５】
本発明の電子機器は、ディスク状記録媒体を回転駆動すると共に当該ディスク状記録媒体に対して情報信号の記録及び／又は再生を行うディスクドライブ装置を備えた電子機器である。このディスクドライブ装置は、ディスク状記録媒体が着脱可能に装着されるターンテーブルを回転駆動するディスク回転駆動部と、ディスク回転駆動部により回転駆動されるディスク状記録媒体に対して情報信号の記録及び／又は再生を行う光ピックアップと、光ピックアップをディスク状記録媒体の情報記録面に沿って当該ディスク状記録媒体の半径方向へ移動させるピックアップ移動部と、を具えている。ピックアップ移動部は、光ピックアップのスライド部材をガイドする第１のガイド軸と第２のガイド軸を有している。第１のガイド軸は、スライド部材に設けた第１の軸受部に摺動可能に挿通されて光ピックアップを所定方向に直線的に案内し、第２のガイド軸は、スライド部材に設けた第２の軸受部を摺動可能に支持している。そして、第１のガイド軸と第２のガイド軸を通る平面をターンテーブルに装着されるディスク状記録媒体の主面に対して略平行に配置すると共に、第１のガイド軸に対して第２のガイド軸を平面内において傾斜させて設けたことを特徴とする。
【発明の効果】
【００１６】
本発明のディスクドライブ装置及び電子機器によれば、第２のガイド軸を第１のガイド軸に対して傾斜させて設け、スライド部材の移動に伴って第２の軸受部における第２のガイド軸との接触部位を面方向に移動させるようにした。そのため、第２の軸受部が、一箇所だけで連続して第２のガイド軸と摺動接触するのを防ぐことができる。これにより、第２の軸受部の局部的な磨耗を防止することができ、スライド部材にガタが発生するのを抑制し、光ピックアップの信頼性（耐久性）を向上させることができる。
【発明を実施するための最良の形態】
【００１７】
スライド部材を所定方向に直進的に案内する第１のガイド軸と、この第１のガイド軸に対して傾斜させて配置された第２のガイド軸と、を設ける。これにより、第２の軸受部における第２のガイド軸との接触箇所を変化させて、第２の軸受部の局部的な磨耗を防止し、記録及び／又は再生の精度を長期間保持することができるディスクドライブ装置及び電子機器を、簡単な構成によって実現した。
【００１８】
以下、本発明の実施の形態を、添付図面を参照して説明する。図１〜図５は本発明のディスクドライブ装置の第１の実施の例を示すもので、図１は要部を示す斜視図、図２は光ピックアップの光学系を示す斜視図、図３は平面図、図４はスライド部材がディスク回転駆動部に近づく際における軸と軸受部に作用する力を示す説明図、図５はスライド部材がディスク回転駆動部から離れる際における軸と軸受部に作用する力を示す説明図である。図６及び図７は本発明のディスクドライブ装置を備えた電子機器に係る撮像装置を示すもので、図６は正面側から見た斜視図、図７はディスク蓋及び表示装置を開いて正面側から見た斜視図である。
【００１９】
まず、本発明のディスクドライブ装置を備えた電子機器の第１の実施の例に係る撮像装置を、図６及び図７を参照して説明する。図６及び図７に示す装置は、撮像装置の第１の実施の例として適用したデジタルビデオカメラ１である。このデジタルビデオカメラ１は、ディスク状記憶媒体の一具体例を示す光ディスク１０を情報記憶メディアとして使用し、光学的な画像を、撮像素子｛例えば、ＣＣＤ（電荷結合素子）、ＣＭＯＳ（相補性金属酸化膜半導体）等｝で電気的な信号に変換して、その画像情報を光ディスク１０に記録したり、液晶ディスプレイ等の平面パネルからなる表示装置に表示できるようにしたものである。
【００２０】
しかしながら、本発明の撮像装置に使用されるディスク状記録媒体としては、この実施例で示す光ディスク１０（ＤＶＤ−Ｒ、ＤＶＤ−ＲＷ、ＤＶＤ−ＲＡＭ等）に限定されるものではなく、例えば、ＭＯ、その他の記録可能な光磁気ディスク等のディスク状記録媒体を用いることができる。これらのディスク状記録媒体を使用する電子機器としては、例えば、光磁気ディスクを用いる場合には光磁気ディスク式スチルカメラとして適用可能である。
【００２１】
図６及び図７に示すように、デジタルビデオカメラ１は、外観形態を構成する外装ケース２と、この外装ケース２の内部に収納されると共に着脱自在に装着される光ディスク１０を回転駆動して情報信号の記録（書き込み）及び再生（読み出し）を行う本発明のディスクドライブ装置の第１の実施例に係るディスクドライブ装置３と、被写体の像を光として取り込んで撮像素子に導くレンズ装置４と、外装ケース２に回動自在に取り付けられた表示装置５と、これらディスクドライブ装置３とレンズ装置４及び表示装置５等の駆動制御を行う制御回路等を備えて構成されている。
【００２２】
外装ケース２は、略直方体をなす中空の筐体からなり、左右方向に対向させて配置された駆動装置側パネル６及び表示装置側パネル７と、両パネル６，７を組み合わせることによって構成される筒体の前側開口部を閉じるフロントパネル８と、その筒体の後側開口部を閉じる図に表れないリアパネルを有している。この外装ケース２は、長手方向を前後方向に設定すると共に幅方向に立ち上げたような状態で使用されている。リアパネルには、携帯用電源であるバッテリー装置１１が着脱可能に装着されるバッテリー収納部が設けられている。バッテリー収納部は、外装ケース２の背面の略中央に配設されており、このバッテリー収納部に対してバッテリー装置１１は、後方斜め上方から差し込み、また同方向に取り出し可能とされている。
【００２３】
この外装ケース２の上部に、レンズ系の撮像レンズである対物レンズ１５を正面に露出させた状態でレンズ装置４が配設されている。レンズ装置４は、そのレンズ系の光軸を水平方向に向けた状態で外装ケース２に取り付けられている。この外装ケース２の内部において、レンズ装置４の後部に撮像素子が取り付けられている。そして、レンズ装置４の後方に、そのレンズ装置４から入力された被写体の画像を写し出すビューファインダ装置１６が配置されている。
【００２４】
更に、外装ケース２の上部には、ビデオライトや外付けマイクロホン等のアクセサリーが着脱自在に装着されるアクセサリーシューを露出させる開口部が設けられている。アクセサリーシューはビューファインダ装置１６の直前に配置されており、通常は、開口部を開閉するシューキャップ１７によって着脱可能に覆われている。更に、外装ケース２の前面には、フラッシュ装置の発光部１８が配置されている。そして、外装ケース２の前側上部に、ステレオ方式のマイクロホン１９が内蔵されて配置されている。このマイクロホン１９の後方にシューキャップ１７が配置され、その後方に、複数の操作ボタンからなる操作部２１が設けられている。
【００２５】
外装ケース２の一方の側面である表示装置側パネル７には、表示装置５が姿勢変更可能に取り付けられている。表示装置５は、平板状の液晶ディスプレイ等からなる図示しない平面パネルと、この平面パネルが収納されたパネルケース２３と、このパネルケース２３を外装ケース２に対して姿勢変更可能に支持するパネル支持部２４とを備えて構成されている。パネルケース２３の内面には、図示しない横長とされた長方形の開口窓が設けられており、この開口窓に平面パネルが嵌め込まれている。
【００２６】
表示装置５のパネル支持部２４は、垂直軸を回動中心としてパネルケース２３を水平方向に略９０度回動可能とした水平回動部と、水平軸を回動中心としてパネルケース２３を前後方向に略１８０度回動可能とした前後回動部とを有している。これにより、表示装置５は、図１に示すように外装ケース２の側面に収納した収納状態と、パネルケース２３を水平方向へ９０度回動させて平面パネルを後方へ対向させた状態と、その後方対向状態からパネルケース２３を１８０度回動させて平面パネルを前方へ対向させた状態と、それらの中間位置の状態とを任意に取ることができるようになっている。
【００２７】
表示装置側パネル７は、図示しないが、いわゆるハイブリッド筐体を構成するものであり、表面をプラスチックによる樹脂プレート層とすると共に、その内側をマグネシウム合金等の金属プレート層で構成し、樹脂プレート層と金属プレート層との２層構造として構成されている。このように構成したハイブリッド筐体によれば、プラスチックで形成した筐体と同じ程度の安さでありながら、強度の高いフレームとして使用することができ、ダイカストをそのまま表面に使用する場合に比べて極めて安価に製造することができる。しかも、このハイブリッド筐体によれば、スイッチその他の電子部品や、小物の機械部品等をそのまま取り付けることができ、従って、内部のフレーム構造等を簡略化することができる。
【００２８】
図７に示すように、外装ケース２の表示装置５と反対側の側面である駆動装置側パネル６は、ディスク蓋３０が取り付けられる主面をなす平面部と、この平面部の外縁を囲うように連続する周面部とからなっている。駆動装置側パネル６の周面部は、平面部の外周縁の略全周に渡って連続するように形成されている。この周面部には、モード選択スイッチを兼ねる電源スイッチ２５と、静止画の撮影を行うシャッタボタン２６と、所定の範囲内で画像を連続的に拡大（テレ）又は縮小（ワイド）させるズームレーバー２７と、ディスク蓋３０のロックを解除するロック解除ボタン２８等が設けられている。
【００２９】
電源スイッチ２５は、回動操作によって電源をオン・オフ切り換える機能と、電源をオンした状態で回動操作することにより複数の機能モードを繰り返すように切り換える機能とを有している。モード切換機能は、電源スイッチ２５を回動操作することによって実行され、例えば「静止画モード」と「動画モード」と「見る・編集モード」との３態様の中から任意のモードを選択できる構成とすることができる。シャッタボタン２６は静止画を撮影するためのもので、その押圧操作により、１回の押圧操作毎に１つの静止画が撮影される。また、ズームレーバー２７は撮影時や再生時等において画像を拡大するためのもので、その操作量に応じて一定の範囲内で倍率を無段階に調整することができる。
【００３０】
この駆動装置側パネル６の平面部の所定位置に所定の形状を有する開口部４５が設けられている。開口部４５は、ディスクドライブ装置３の上面部の一部を露出させるためのものである。そのため、開口部４５の形状は、ディスクドライブ装置３の平面側から見た形状に対応した形状とされており、その平面形状よりもやや大きく開口されている。そして、図示しないメカシャーシに取り付けられたディスクドライブ装置３の上面部の一部が開口部４５に緩く嵌め込まれ、その上面部が外装ケース２の外面に露出されている。
【００３１】
このディスクドライブ装置３の、光ディスク１０（ディスク状記録媒体）が着脱可能に装着されるディスク装着部であるターンテーブル４６とその周辺の一定領域がディスク収納部４７となっている。ディスク収納部４７は、この実施例では直径が８ｃｍの光ディスク１０に対応する大きさの領域として形成されている。このディスク収納部４７の略中央部にはディスクドライブ装置３のディスク回転駆動部４８が配置され、その中央部に位置するターンテーブル４６に対して、ディスク状記録媒体の一具体例を示す直径８ｃｍの光ディスク１０（ＤＶＤ、ＣＤ−ＲＷ等）が装着可能とされている。
【００３２】
ディスク収納部４７は、駆動装置側パネル６に側面部を回動自在に支持されたディスク蓋３０によって開閉可能に覆われている。ディスク蓋３０は、ディスク収納部４７の形状に見合う形状とされていて、この実施例では略円形とされている。このディスク蓋３０は、ディスク収納部４７の外側を覆う若干湾曲させて形成した主面をなす平面部３０ａと、この平面部３０ａの外周縁の略全周に亘って連続する周面部３０ｂを有している。ディスク蓋３０の周面部３０ｂは、駆動装置側パネル６のディスク収納部４７の外周側切欠き部と嵌り合うように構成されている。
【００３３】
このディスク蓋３０は、外周縁一周の略５／６（約３００度）が円形（円形部分は全体の略３／４以上あれば良い。）とされたシェル形をなしており、残りの部分には、側方へ突出する方形部３０ｃが形成されている。この方形部３０ｃには、ディスク蓋３０を開閉動作させるための回動中心となる蓋回動軸部３１が取り付けられる。蓋回動軸部３１は、図示しないが、方形部３０ｃに取り付けられた支持軸と、この支持軸の両端を固定的に支持する一対の軸受片を有する軸受部材とからなり、軸受部材を駆動装置側パネル６に固定することによってディスク蓋３０が回動自在に支持されている。この蓋回動軸部３１には、ディスク蓋３０の最大開き角度（例えば、９０度）を設定するストッパ部が設けられている。
【００３４】
このような蓋回動軸部３１が、その支持軸の軸方向を上下方向に設定して駆動装置側パネル６に取り付けられている。これにより、ディスク蓋３０が蓋回動軸部３１を介して駆動装置側パネル６の後部に回動可能に支持されている。その結果、ディスク蓋３０は、デジタルビデオカメラ１の正面を前側として前開きによって側方へ略９０度開放動作させることができる。なお、蓋回動軸部３１には、一定の開放角度の範囲内においてディスク蓋３０を任意の開放位置で静止させることができると共に、その開放角度を超えたときにはディスク蓋３０を開放側へ付勢するようにバネ部材が装着されている。
【００３５】
このディスク蓋３０と駆動装置側パネル６に関連させて、ディスク蓋３０の図示しない蓋開閉機構が設けられている。この蓋開閉機構は、ディスク収納部４７を閉じた状態のディスク蓋３０を、その閉じた状態においてロックするロック機能と、そのロックを解除するロック解除機能とを有するものである。この蓋開閉機構を介して、ディスク収納部４７がディスク蓋３０によって開閉され、そのディスク蓋３０のロック及びそのロック解除が蓋開閉機構によって実行される。この蓋開閉機構に対応させて、ディスク蓋３０の内面にはロック部材３２が取り付けられている。
【００３６】
また、図７に示すように、駆動装置側パネル６には、ディスク蓋３０を囲うようにハンドストラップ３５が取り付けられている。ハンドストラップ３５は、外装ケース２を握るユーザーの手を支え、デジタルビデオカメラ１の取り落とし等を防止するものである。このハンドストラップ３５は、両端が駆動装置側パネル６に固定された支持ベルト３６と、この支持ベルト３６に装着されてユーザーの手の甲部分に当接される保護パッド３７とから構成されている。支持ベルト３６の一端は駆動装置側パネル６の前側下部に固定された取付金具３８に連結され、他端は駆動装置側パネル６の後側中途部に設けた貫通穴から内側に挿入されて、その内部に取り付けられた取付金具３８に固定されている。
【００３７】
また、図１〜図５及び図７に示すように、ディスクドライブ装置３は、外装ケース２に取り付けられるメカシャーシと、このメカシャーシに固定されるディスク回転駆動部４８と、光ディスク１０に対して情報信号の記録及び／又は再生を行う光ピックアップ５０と、この光ピックアップ５０を光ディスク１０の半径方向（第１の方向Ｘ）に移動させるピックアップ移動部６１等を備えて構成されている。メカシャーシは導電性の板材で形成されていて、絶縁性材料で形成された弾性体からなる複数個の図示しないマウントインシュレータを介して外装ケース２に弾性的に支持されている。
【００３８】
メカシャーシに搭載されたディスク回転駆動部４８は、メカシャーシに固定されたスピンドルモータ４９と、このスピンドルモータ４９の回転部に固定されたターンテーブル４６とから構成されている。図７に示すように、ターンテーブル４６は、光ディスク１０のセンタ穴が嵌合される嵌合部４６ａと、センタ穴の周縁部が載置される載置部４６ｂとからなっている。更に、ターンテーブル４６の嵌合部４６ａには、光ディスク１０のセンタ穴の周縁部に係合して光ディスク１０を保持する複数個（本実施例では３個）の係合爪４６ｃが周方向に複数個設けられている。各係合爪４６ｃはスプリングによって半径方向外側へ付勢されており、このスプリングのバネ力によって光ディスク１０が嵌合部４６ａに位置決めされて固定される。
【００３９】
このディスク回転駆動部４８の近傍に光ピックアップ５０が配設されている。図１〜図５に示すように、光ピックアップ５０は、光ディスク１０の情報記録面に対向されるピックアップレンズ５１を有する二軸アクチュエータ５３と、この二軸アクチュエータ５３が搭載されたスライド部材５２等を備えて構成されている。二軸アクチュエータ５３は、光ディスク１０へ照射する光ビームの焦点距離の設定及び調整等と、当該光ディスク１０の情報記録部における記録トラックを追従する微小トラック移動機能を有している。
【００４０】
スライド部材５２は、ディスク回転駆動部４８のスピンドルモータ４９側に凹部を有する略長方形状の部材から構成されている。このスライド部材５２の略中央部には、光ピックアップ５０の光学系８０の一部をなすピックアップレンズ５１が上向き状態で配置されている。ピックアップレンズ５１の中心Ｌｃとスピンドルモータ４９（ターンテーブル４６）の回転中心Ｓｃを通る直線Ｕが、スライド部材５２の移動方向（第１の方向Ｘ）と平行をなしている。このスライド部材５２は、軽さ、加工し易さ等から例えばアルミニウム合金、亜鉛合金、マグネシウム合金等の材質を用いて例えば鋳造により形成されている。
【００４１】
また、スライド部材５２は、その長手方向の一端部に一対の第１の軸受部５６ａ，５６ｂと、この第１の軸受部５６ａ，５６ｂと反対側に位置する他端部に第２の軸受部５７が設けられている。第１の軸受部５６ａ，５６ｂの軸受穴は、スライド部材５２の移動方向である第１の方向Ｘに沿って適宜な間隔を開けて同一軸心線上に設定されている。一対の第１の軸受部５６ａ，５６ｂは、後述する１本の第１のガイド軸６５を支持することによって、スライド部材５２が移動する際の直進性を確保するようになっている。この第１の軸受部５６ａ，５６ｂの材質としては、耐磨耗性と摺動特性に優れた材質が好ましく、例えば含油焼結材料等が挙げられる。
【００４２】
第２の軸受部５７は、スライド部材５２と一体に例えば鋳造により形成されている。第２の軸受部５７は、略Ｕ字状をなす軸受溝を設けることによって上下に対向された一対の軸受片５７ａ，５７ｂを形成している。この軸受溝は、スライド部材５２の長手方向の側方へ開口するように設けられている。第２の軸受部５７の軸受溝に、後述する第２のガイド軸６６が摺動自在に貫通される。そして、第２の軸受部５７は、一対の軸受片５７ａ，５７ｂの内面に円弧状に突出した摺動凸面が設けられている。この摺動凸面により、第２のガイド軸６６の外周面と接触する面積を小さくして摺動摩擦抵抗を小さくすることができる。
【００４３】
更に、図１に示すように、スライド部材５２には、レーザ駆動用の駆動回路部５４が搭載されたフレキシブル配線板５５が設けられている。フレキシブル配線板５５により、光学系８０のレーザダイオード８１やＰＤＩＣ９０等の電装部品への情報伝達を行っている。
【００４４】
図４等に示すように、光ピックアップ５０を所定方向（第１の方向Ｘ）に移動させるピックアップ移動部６１は、送りネジ軸６３と、送りモータ６４と、第１のガイド軸６５と、第２のガイド軸６６等から構成されている。
【００４５】
送りネジ軸６３は、その外周面に螺旋状に延在されたネジ溝が設けられており、このネジ溝にスライド部材５２に取り付けられた送りナット６２が係合されている。この送りネジ軸６３は、スライド部材５２の移動方向である第１の方向Ｘと平行に配置され、メカシャーシに回転自在に支持されている。送りモータ６４は、送りネジ軸６３を回転軸としている。
【００４６】
第１のガイド軸６５は、送りネジ軸６３の近傍に配置され、その軸方向Ｌ１を第１の方向Ｘと平行をなすように設定されている。第１のガイド軸６５は、スライド部材５２の一対の第１の軸受部５６ａ，５６ｂの軸受穴を摺動自在に貫通して設けられている。図３に示すように、第１のガイド軸６５の一端は、直線Ｕから当該直線Ｕと直交する方向（第２の方向Ｙ）の距離をＴ１としている。そして、第１のガイド軸６５の他端は、直線Ｕから当該直線Ｕと直交する方向の距離を一端側と等しいＴ１としている。これにより、第１のガイド軸６５は、光ピックアップ５０を第１の方向Ｘに直線的、即ち、ピックアップレンズ５１の中心Ｌｃを直線Ｕに沿って案内することができる。
【００４７】
第２のガイド軸６６は、スライド部材５２の第２の軸受部５７の軸受溝を摺動自在に貫通して設けられている。第２のガイド軸６６は、その軸方向Ｌ２を、第１のガイド軸６５の軸方向Ｌ１、即ち、光ピックアップ５０の移動方向である第１の方向Ｘに対して、所定の角度θ傾けて配置されている。
【００４８】
この第２のガイド軸６６の一端は、直線Ｕと直交する方向の距離をＳ１としている。そして、第２のガイド軸６６の他端は、直線Ｕを直交する方向の距離をＳ１よりも短い距離Ｓ２としている（Ｓ１＞Ｓ２）。その結果、第２のガイド軸６６は、スピンドルモータ４９側が広くて、その反対側であるスピンドルモータ４９から離れた側を狭くした半台形の一辺をなすように配置されている。即ち、第２のガイド軸６６は、スピンドルモータ４９（ターンテーブル）の回転中心Ｓｃから光ピックアップの移動する方向（第１の方向Ｘ）に対して、第１のガイド軸６５との間隔が直線的に徐々に狭まる方向に配置されている。これにより、従来のディスクドライブ装置１００の最外形に対して、クロスハッチングで示すように、面積Ｍを小さくすることができる。このような配置構造とすることにより、面積Ｍの分だけディスクドライブ装置３の小型化を図ることが可能である。
【００４９】
尚、本実施の例では、第２のガイド軸６６をスピンドルモータ４９から離れる方向に行くにつれて、第１のガイド軸６５との間隔が連続的に狭まるように傾けて配置した例について説明したが、これに限定されるものではない。例えば、上記実施の例とは逆形状として、第２のガイド軸６６を、スピンドルモータ４９（ターンテーブル４６）の回転中心Ｓｃに近づく方向に行くにつれて、第１のガイド軸６５との間隔が連続的に狭まるように配置してもよい。かかる実施例によっても、上記実施例と同様の効果を得ることができる。上述したように、この第２のガイド軸６６は、第１のガイド軸６５と所定間隔を開けて配置されることにより、スライド部材５２が第１のガイド軸６５の軸心線を回転中心として傾くことを規制する役割を有している。
【００５０】
これらの第１のガイド軸６５と第２のガイド軸６６は、それぞれ断面形状が円形をなす金属製の真っ直ぐな丸棒として構成されている。この第１のガイド軸６５と、第２のガイド軸６６を通る平面は、ターンテーブル４６に装着された光ディスク１０の情報記録面である主面に対して略平行に配置されている。そして、第２のガイド軸６６は、第１のガイド軸６５と第２のガイド軸６６が通る平面内において、上述したように第１のガイド軸６５に対して所定の角度θをもって傾けて配置されている。これにより、光ピックアップ５０に設けたピックアップレンズ５１からの光ビームを光ディスク５１の情報記録面に対して略垂直に照射させることができる。また、これらの第１のガイド軸６５と第２のガイド軸６６は、それぞれ軸方向の両端部において、図示しない支持手段、或いは接着剤によってメカシャーシに固定するように支持されている。
【００５１】
かくして、送りモータ６４を駆動して送りネジ軸６３を回転駆動することにより、その送りネジ軸６３の回転力が送りナット６２を介してスライド部材５２に伝達される。その結果、送りネジ軸６３の回転方向に応じて、光ピックアップ５０が第１のガイド軸６５に沿ってディスク回転駆動部４８（ターンテーブル４６及びスピンドルモータ４９）に近づく方向とディスク回転駆動部４８から離れる方向に移動される。これらディスク回転駆動部４８と、光ピックアップ５０と、ピックアップ移動部６１と、メカシャーシによって本発明のディスクドライブ装置３が構成されている。
【００５２】
光ピックアップ５０の光学系８０は、図２に示すような部材の組み合わせによって構成されている。図２に示すように、光学系８０は、光ビームを発生する光発生器の一具体例を示すレーザダイオード（ＬＤ）８１を有しており、そのレーザダイオード８１の前方にグレーティング（回折格子）８２が配置されている。このグレーティング８２の前方には第１のコリメータレンズ８３とアナモルフィックプリズム８４が直列に配置されている。このアナモルフィックプリズム８４の側方には、ビームスプリッタ８５とプリズムミラー８６が直列に配置されている。
【００５３】
プリズムミラー８６のビームスプリッタ側の面は４５°に傾斜された反射面とされており、その反射面に対向するようにピックアップレンズ５１が配置されている。ビームスプリッタ８５の側方には、フロントフォトダイオード８７（ＦＰＤＩＣ）が配置されている。ＦＰＤＩＣ８７は、レーザダイオード８１から出射される光ビームの光量を検出するものである。このＦＰＤＩＣ８７で検出された光量を元にレーザダイオード８１から出射される光量を一定にしている。
【００５４】
ビームスプリッタ８５の後方には、第２のコリメータンレンズ８８と、シリドリカルレンズ（マルチレンズ）８９と、ディテクタ（ＰＤＩＣ）９０とが順次直列に配置されている。ディテクタ９０は、光ディスク１０の情報記録面にて反射された反射光（再生信号）を受光して情報信号を取り出す光検出器の一具体例を示すものである。
【００５５】
レーザダイオード８１から出射された光ビームは、グレーティング８２により３本の光ビームに分割される。分割された光ビームは、第１のコリメータレンズ８３により、発散光から平行光に変換され、アナモルフィックプリズム８４にて、３本の光ビームの縦横比が整形されて９０°屈折される。縦横比が整形された３本の光ビームは、ビームスプリッタ８５に入射される。ビームスプリッタ８５に入射された光ビームの一部は、当該ビームスプリッタ８５を直線的に透過してプリズムミラー８６に出射される。残りの光ビームは、ビームスプリッタ８５で反射されて、ＦＰＤＩＣ８７に向かい、ＬＤ８１の出力検出に供される。
【００５６】
ビームスプリッタ８５を直線的に透過した光ビームは、光軸Ｌに沿ってプリズムミラー８６の反射面に到達する。プリズムミラー８６の反射面に達した光ビームは、その反射面で９０°屈折されてピックアップレンズ５１に向う。そのピックアップレンズ５１で集光されて光ディスク１０の情報記録面に照射される。情報記録面で反射された光ビームは、ピックアップレンズ５１を通ってプリズムミラー８６の反射面にて反射される。これにより、その進行方向が９０°屈折され、光軸Ｌに沿ってビームスプリッタ８５側に戻る。
【００５７】
ビームスプリッタ８５に入射された光ビームは、ビームスプリッタ８５内部の境界面で反射し、第２のコリメータレンズ８８及びシリンドリカルレンズ８９を透過して、ＰＤＩＣ９０にて受光される。このＰＤＩＣ９０により、受光された光ビームに基づいて情報信号の再生が行われると共に、フォーカスエラーやトラッキングエラーが検出され、フォーカス制御及びトラッキング制御に供される。
【００５８】
次に、このような構成を有するディスクドライブ装置３の作用について説明する。図３に示すように、光ピックアップ５０がスピンドルモータ４９から離れている状態、即ち、光ディスク１０の情報信号の記録又は再生を開始する前の状態において、二点鎖線で示す第２の軸受部５７が第２のガイド軸６６と接触している箇所を点Ｐ１とする。この状態から、ピックアップ移動部６１を駆動させると、光ピックアップ５０は、第１の方向Ｘに沿ってスピンドルモータ４９に近づく方向に移動する。
【００５９】
ここで、第１のガイド軸６５が光ピックアップ５０の移動方向である第１の方向Ｘと平行に配置されており、光ピックアップ５０は、この第１のガイド軸６５にガイドされて第１の方向Ｘに沿って移動する。そして、第２のガイド軸６６は、第１の方向Ｘに対して角度θ傾けて配置されているため、第２の軸受部５７における第２のガイド軸６６との接触箇所が点Ｐ１から第２の方向Ｙに沿って点Ｐ２に移動（変化）する。従って、第２の軸受部５７は、第２のガイド軸６６と一箇所だけが連続して接触することがない。
【００６０】
次に、第２の軸受部５７が第２のガイド軸６６と点Ｐ２で接触している状態から、ピックアップ移動部６１を駆動させて、光ピックアップ５０を第１の方向Ｘに沿ってスピンドルモータ４９から離れる方向に移動させる。このとき、第２の軸受部５７が第２のガイド軸６６と接触する箇所は、点Ｐ２から第２の方向Ｙに沿って点Ｐ１に移動（変化）する。このように、第２の軸受部５７における第２のガイド軸６６と接触する箇所は、一箇所だけが連続して摺動接触することがなく、光ピックアップ５０の移動に伴って第２の方向Ｙに沿って移動している。これにより、第２の軸受部５７の局部的な磨耗を防止することができ、スライド部材５２にガタが発生することを抑止し、ディスクドライブ装置３全体の耐久性を向上させることが出来る。
【００６１】
次に、図４及び図５を参照して、ピックアップ移動部６１の駆動時における、ガイド軸と軸受部に作用する力の関係について説明する。ここで、第１の軸受部５６ａが第１のガイド軸６５と接触する箇所を点Ｑとし、第１の軸受部５６ｂが第１のガイド軸６５と接触する箇所を点Ｒとする。第２の軸受部５７が第２のガイド軸６６と接触する箇所を点Ｐ１とする。
【００６２】
いま、図４に示すように、送りモータ６４を駆動して送りネジ軸６３を所定方向に回転駆動させて、光ピックアップ５０を第１の方向Ｘに沿ってスピンドルモータ４９に近づく方向に移動させる。このとき、点Ｑには、第１のガイド軸６５と第１の軸受部５６ａとの摩擦により摩擦力Ｎ１が発生し、そのベクトルの方向は第１の方向Ｘに向いている。同様に、点Ｒには、第１のガイド軸６５と第１の軸受部５６ｂとの摩擦により摩擦力Ｎ２が発生し、そのベクトルの方向は第１の方向Ｘに向いている。また、点Ｐ１は、第２のガイド軸６６と第２の軸受部５７との摩擦により摩擦力Ｎ３が発生する。この摩擦力Ｎ３のベクトルの方向は、第１の方向Ｘから角度θ傾いた第２のガイド軸６６の軸方向に向いている。
【００６３】
この摩擦力Ｎ３は、第１の方向Ｘの他方に向かう分力Ｆ１と、第２の方向Ｙの一方に向かう分力Ｆ２に分けられる。この第２の方向Ｙの一方に向かう分力Ｆ２により、スライド部材５２全体が第２の方向Ｙの一方に片寄せすることができ、第１のガイド軸６５と一対の第１の軸受部５６ａ，５６ｂとの微小なガタツキを取り除くことができる。これにより、第１のガイド軸６５と一対の第１の軸受部５６ａ，５６ｂによるスライド部材５２の移動方向の直進性を向上させることができる。
【００６４】
また、図５に示すように、光ピックアップ５０を第１の方向Ｘに沿ってスピンドルモータ４９から離れる方向に移動させる場合は、摩擦力Ｎ１、摩擦力Ｎ２及び摩擦力Ｎ３は、図４に示す力の向きとそれぞれ反対方向を向く力となる。そして、点Ｐ１に発生する摩擦力Ｎ３は、第１の方向Ｘの一方に向かう分力Ｆ１と、第２の方向Ｙの他方に向かう分力Ｆ２に分けられる。この第２の方向Ｙの他方に向かう分力Ｆ２により、スライド部材５２全体が、図４に示す状態と反対側の第２の方向Ｙの他方に片寄せすることができ、第１のガイド軸６５と一対の第１の軸受部５６ａ，５６ｂとの微小なガタツキを取り除くことができる。これにより、第１のガイド軸６５と一対の第１の軸受部５６ａ，５６ｂによるスライド部材５２の移動方向の直進性を向上させることができる。
【００６５】
以上説明してきたように、本発明のディスクドライブ装置及び電子機器によれば、第２のガイド軸を、第１のガイド軸の軸方向、即ち、光ピックアップの移動方向に対して傾斜させて設け、スライド部材の移動に伴って第２の軸受部における第２のガイド軸との接触する箇所を面方向に移動させるようにした。その結果、第２の軸受部が、一箇所だけで連続して第２のガイド軸と摺動接触することを防ぐことができる。これにより、第２の軸受部の局部的（局所的）な磨耗を防止することができ、スライド部材にガタが発生するのを抑制し、光ピックアップの耐久性を向上させることができる。
【００６６】
また、スライド部材が移動する際には、第２のガイド軸と第２の軸受部との間に当該第２のガイド軸の軸方向に向かう摩擦力が発生する。この摩擦力は、第１の方向に向かう分力と、第２の方向に向かう分力に分けられる。この第２の方向に向かう分力により、スライド部材全体を第２の方向に片寄せすることができる。これにより、第１のガイド軸と第１の軸受部とのガタツキを取り除くことができ、スライド部材の移動方向の安定性とその直進性を向上させることができる。
【００６７】
更に、第２のガイド軸は、ターンテーブルの回転中心から光ピックアップが移動する方向に対して、第１のガイド軸との間隔が連続して狭まるように配置した。これにより、従来の２本のガイド軸を平行に配置したディスクドライブ装置に比べてその最外形を小さくすることができ、ディスクドライブ装置の小型化を図ることが可能である。
【００６８】
尚、本発明は前述しかつ図面に示した実施の形態に限定されるものではなく、その要旨を逸脱しない範囲内で種々の変形実施が可能である。例えば、前記実施例においては、電子機器の具体例としてデジタルビデオカメラを適用した例について説明したが、これに限定されるものではなく、この主のディスクドライブ装置が用いられるパーソナルコンピュータ、電子辞書、ＤＶＤプレーヤ、カーナビゲーションその他各種の電子機器に適用できるものである。
【図面の簡単な説明】
【００６９】
【図１】本発明のディスクドライブ装置の第１の実施の例に係る要部を示す斜視図である。
【図２】本発明のディスクドライブ装置の第１の実施の例に係る光ピックアップの光学系を示す斜視図である。
【図３】本発明のディスクドライブ装置の第１の実施の例を模式的に示す平面図である。
【図４】本発明のディスクドライブ装置の第１の実施の例に係る光ピックアップがディスク回転駆動部に近づく方向に駆動した際におけるガイド軸と軸受部の力の関係を示す説明図である。
【図５】本発明のディスクドライブ装置の第１の実施の例に係る光ピックアップがディスク回転駆動部から離れる方向に駆動した際におけるガイド軸と軸受部の力の関係を示す説明図である。
【図６】本発明の電子機器の第１の実施の例として示す撮像装置の一具体例であるデジタルビデオカメラを正面側から見た斜視図である。
【図７】本発明の電子機器の第１の実施の例として示す撮像装置の一具体例であるデジタルビデオカメラをディスク蓋及び表示装置を開いて正面側から見た斜視図である。
【図８】従来のディスクドライブ装置を模式的に示す平面図である。
【符号の説明】
【００７０】
１…デジタルスチルカメラ（電子機器）、  ３…ディスクドライブ装置、  １０…光ディスク（ディスク状記録媒体）、  ４６…ターンテーブル  ４８…ディスク回転駆動部、  ４９…スピンドルモータ、  ５０…光ピックアップ、  ５１…ピックアップレンズ、  ５２…スライド部材、  ５６ａ，５６ｂ…第１の軸受部、  ５７…第２の軸受部、  ６１…ピックアップ移動部、  ６２…送りナット、  ６３…送りネジ軸、  ６５…第１のガイド軸、  ６６…第２のガイド軸
【図１】
2008269722.tif 000003
【図２】
2008269722.tif 000004
【図３】
2008269722.tif 000005
【図４】
2008269722.tif 000006
【図５】
2008269722.tif 000007
【図６】
2008269722.tif 000008
【図７】
2008269722.tif 000009
【図８】
2008269722.tif 000010